(57)【要約】バス等の移動装置の外側に設けられた表示部の表示画像の制御を行い、ユーザの注目度を高め、広告効果を増大させる構成を実現する。バス等の移動装置の外側に設けられた表示部と、表示部の表示画像の制御を実行する画像制御部を有し、画像制御部は、移動装置の走行状態に応じて表示部の表示画像を変更する制御を実行する。例えば、移動装置が加速中、または減速中、または定速走行中の各状態に応じて表示画像を変更する。あるいは移動装置の近傍にある実在オブジェクトを用いたＡＲ画像を生成して表示する。
2019163599.tif 000002
【特許請求の範囲】
【請求項１】
移動装置の外側に設けられた表示部と、
前記表示部の表示画像の制御を実行する画像制御部を有し、
前記画像制御部は、
前記移動装置の走行状態に応じて、前記表示部の表示画像を変更する制御を実行する情報処理装置。
【請求項２】
前記情報処理装置は、
センサーからの入力情報に基づいて移動装置の走行状態を解析するデータ解析部を有し、
前記表示制御部は、
前記データ解析部の解析結果に基づいて、前記表示部の表示画像を変更する制御を実行する請求項１に記載の情報処理装置。
【請求項３】
前記情報処理装置は、
センサーからの入力情報に基づいて前記移動装置が加速中、または減速中、または定速走行中のいずれであるかを解析するデータ解析部を有し、
前記表示制御部は、
前記移動装置が加速中、または減速中、または定速走行中の各々の状態に応じて前記表示部の表示画像を変更する制御を実行する請求項１に記載の情報処理装置。
【請求項４】
前記画像制御部は、
前記移動装置の近傍にある実在オブジェクトを用いたＡＲ（Ａｕｇｍｅｎｔｅｄ  Ｒｅａｌｉｔｙ）画像を生成して前記表示部に表示する請求項１に記載の情報処理装置。
【請求項５】
前記画像制御部は、
前記移動装置の表示部側面と反対側にある実在オブジェクトを用いたＡＲ画像を生成して前記表示部に表示する請求項４に記載の情報処理装置。
【請求項６】
前記ＡＲ画像は、前記実在オブジェクトの形状に沿ってアニメーション画像が移動する画像である請求項４に記載の情報処理装置。
【請求項７】
前記画像制御部は、
前記移動装置の側面に設けられた表示部の表示画像を、前記移動装置の進行方向から後方に流れるように更新する制御を実行する請求項１に記載の情報処理装置。
【請求項８】
前記画像制御部は、
前記移動装置の側面に設けられた表示部の表示画像を、前記表示部を見ているユーザの視線方向に応じて変更する請求項１に記載の情報処理装置。
【請求項９】
前記画像制御部は、
前記移動装置の近傍の店舗の広告情報を前記表示部に表示する請求項１に記載の情報処理装置。
【請求項１０】
前記情報処理装置は、
センサーからの入力情報に基づいて前記移動装置の位置を検出し、検出位置に応じて、前記移動装置の近傍店舗の広告情報を前記表示部に表示する請求項９に記載の情報処理装置。
【請求項１１】
移動装置の外側に設けられた表示部と、
前記表示部の表示画像の制御を実行する画像制御部と、
前記移動装置周囲の画像を撮影する画像入力部であるカメラを有し、
前記画像制御部は、
カメラ撮影画像に基づく前記移動装置周囲のユーザ解析結果に応じて、前記表示部の表示画像を変更する制御を実行する情報処理装置。
【請求項１２】
前記情報処理装置は、
前記カメラ撮影画像に基づく前記移動装置周囲のユーザ解析結果として、ユーザが規定のアクションを実行したことが確認された場合、ユーザに対するサービス提供処理を実行する請求項１１に記載の情報処理装置。
【請求項１３】
前記サービス提供処理は、前記ユーザの保持するユーザ端末に対するクーポン送信処理である請求項１２に記載の情報処理装置。
【請求項１４】
移動装置の外側に設けられた表示部と、
前記表示部の表示画像の制御を実行する画像制御部と、
前記移動装置の走行状態を検出するセンサーを有し、
前記画像制御部は、
前記センサーの検出情報から解析される前記移動装置の走行状態に応じて、前記表示部の表示画像を変更する制御を実行する移動装置。
【請求項１５】
前記移動装置は、
前記移動装置周囲の画像を撮影する画像入力部であるカメラを有し、
前記画像制御部は、
カメラ撮影画像に基づく前記移動装置周囲のユーザ解析結果に応じて、前記表示部の表示画像を変更する制御を実行する請求項１４に記載の移動装置。
【請求項１６】
前記移動装置は、
前記カメラ撮影画像に基づく前記移動装置周囲のユーザ解析結果として、ユーザが規定のアクションを実行したことが確認された場合、ユーザに対するサービス提供処理を実行する請求項１５に記載の移動装置。
【請求項１７】
情報処理装置において実行する情報処理方法であり、
前記情報処理装置は、移動装置の外側に設けられた表示部の表示画像の制御を実行する画像制御部を有し、
前記画像制御部が、
前記移動装置の走行状態に応じて、前記表示部の表示画像を変更する制御を実行する情報処理方法。
【請求項１８】
移動装置において実行する情報処理方法であり、
前記移動装置は、
移動装置の外側に設けられた表示部と、
前記表示部の表示画像の制御を実行する画像制御部と、
前記移動装置の走行状態を検出するセンサーを有し、
前記画像制御部が、
前記センサーの検出情報から解析される前記移動装置の走行状態に応じて、前記表示部の表示画像を変更する制御を実行する情報処理方法。
【請求項１９】
情報処理装置において情報処理を実行させるプログラムであり、
前記情報処理装置は、移動装置の外側に設けられた表示部の表示画像の制御を実行する画像制御部を有し、
前記プログラムは、前記画像制御部に、
前記移動装置の走行状態に応じて、前記表示部の表示画像を変更する制御を実行させるプログラム。
【発明の詳細な説明】
【技術分野】
【０００１】
本開示は、情報処理装置、移動装置、および方法、並びにプログラムに関する。さらに詳細には、移動装置の外面に設置した表示部の出力画像の表示制御や、表示画像を適用した処理を実行する情報処理装置、移動装置、および方法、並びにプログラムに関する。
【背景技術】
【０００２】
例えば車両の側面に設けた大型ディスプレイに広告画像を表示して車両を多くの人が集まる繁華街等を移動することで、より多くの人に広告を提供するといった広告手法がある。【０００３】
例えば、特許文献１（特開２０１５−１８４３３５号公報）は、広告提供効果を高めるため、広告を提示する移動体の移動経路を制御する構成を開示している。
【先行技術文献】
【特許文献】
【０００４】
【特許文献１】特開２０１５−１８４３３５号公報
【発明の概要】
【発明が解決しようとする課題】
【０００５】
上述した特許文献１は、移動経路の制御による広告効果の増大を行う構成は開示しているものの、例えば、移動体の表示部に表示する画像の表示制御や、画像を用いた様々な処理によりユーザの注目度を高める等の構成については開示してない。【０００６】
本開示は、移動装置の外側面に設置した表示部の出力画像の表示制御や、画像を用いた様々な処理を行うことで、ユーザの注目度を向上させ、さらに広告効果も向上させることを可能とした情報処理装置、移動装置、および方法、並びにプログラムを提供することを目的とする。
【課題を解決するための手段】
【０００７】
本開示の第１の側面は、
移動装置の外側に設けられた表示部と、
前記表示部の表示画像の制御を実行する画像制御部を有し、
前記画像制御部は、
前記移動装置の走行状態に応じて、前記表示部の表示画像を変更する制御を実行する情報処理装置にある。【０００８】
さらに、本開示の第２の側面は、
移動装置の外側に設けられた表示部と、
前記表示部の表示画像の制御を実行する画像制御部と、
前記移動装置周囲の画像を撮影する画像入力部であるカメラを有し、
前記画像制御部は、
カメラ撮影画像に基づく前記移動装置周囲のユーザ解析結果に応じて、前記表示部の表示画像を変更する制御を実行する情報処理装置にある。【０００９】
さらに、本開示の第３の側面は、
移動装置の外側に設けられた表示部と、
前記表示部の表示画像の制御を実行する画像制御部と、
前記移動装置の走行状態を検出するセンサーを有し、
前記画像制御部は、
前記センサーの検出情報から解析される前記移動装置の走行状態に応じて、前記表示部の表示画像を変更する制御を実行する移動装置にある。【００１０】
さらに、本開示の第４の側面は、
情報処理装置において実行する情報処理方法であり、
前記情報処理装置は、移動装置の外側に設けられた表示部の表示画像の制御を実行する画像制御部を有し、
前記画像制御部が、
前記移動装置の走行状態に応じて、前記表示部の表示画像を変更する制御を実行する情報処理方法にある。【００１１】
さらに、本開示の第５の側面は、
移動装置において実行する情報処理方法であり、
前記移動装置は、
移動装置の外側に設けられた表示部と、
前記表示部の表示画像の制御を実行する画像制御部と、
前記移動装置の走行状態を検出するセンサーを有し、
前記画像制御部が、
前記センサーの検出情報から解析される前記移動装置の走行状態に応じて、前記表示部の表示画像を変更する制御を実行する情報処理方法にある。【００１２】
さらに、本開示の第６の側面は、
情報処理装置において情報処理を実行させるプログラムであり、
前記情報処理装置は、移動装置の外側に設けられた表示部の表示画像の制御を実行する画像制御部を有し、
前記プログラムは、前記画像制御部に、
前記移動装置の走行状態に応じて、前記表示部の表示画像を変更する制御を実行させるプログラムにある。【００１３】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１４】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１５】
本開示の一実施例の構成によれば、バス等の移動装置の外側に設けられた表示部の表示画像の制御を行い、ユーザの注目度を高め、広告効果を増大させる構成が実現される。
具体的には、例えば、バス等の移動装置の外側に設けられた表示部と、表示部の表示画像の制御を実行する画像制御部を有し、画像制御部は、移動装置の走行状態に応じて表示部の表示画像を変更する制御を実行する。例えば、移動装置が加速中、または減速中、または定速走行中の各状態に応じて表示画像を変更する。あるいは移動装置の近傍にある実在オブジェクトを用いたＡＲ画像を生成して表示する。
本構成により、バス等の移動装置の外側に設けられた表示部の表示画像の制御を行い、ユーザの注目度を高め、広告効果を増大させる構成が実現される。
なお、本明細書に記載された効果はあくまで例示であって限定されるものではなく、また付加的な効果があってもよい。
【図面の簡単な説明】
【００１６】
【図１】移動装置の構成例について説明する図である。
【図２】移動装置の構成例について説明する図である。
【図３】移動装置の実行する処理と通信構成例の概要について説明する図である。
【図４】情報処理装置の構成例について説明する図である。
【図５】移動装置や情報処理装置の実行する処理例について説明する図である。
【図６】移動装置や情報処理装置の実行する処理例について説明する図である。
【図７】移動装置や情報処理装置の実行する処理例について説明する図である。
【図８】移動装置や情報処理装置の実行する処理例について説明する図である。
【図９】移動装置や情報処理装置の実行する処理例について説明する図である。
【図１０】移動装置や情報処理装置の実行する処理例について説明する図である。
【図１１】移動装置や情報処理装置の実行する処理例について説明する図である。
【図１２】移動装置や情報処理装置の実行する処理例について説明する図である。
【図１３】移動装置や情報処理装置の実行する処理例について説明する図である。
【図１４】情報処理システムの構成例について説明する図である。
【図１５】情報処理装置のハードウェア構成例について説明する図である。
【図１６】移動装置の詳細構成の一例について説明する図である。
【図１７】移動装置の詳細構成の一例について説明する図である。
【図１８】移動装置の詳細構成の一例について説明する図である。
【発明を実施するための形態】
【００１７】
以下、図面を参照しながら本開示の情報処理装置、移動装置、および方法、並びにプログラムの詳細について説明する。なお、説明は以下の項目に従って行なう。
１．移動装置の概要について
２．情報処理装置の構成例について
３．情報処理装置の実行する具体的な処理例について
３−（１）．移動装置、ユーザ端末、サイネージ装置との連携処理例
３−（２）．移動装置の移動状態に応じた表示画像の制御処理
３−（３）．移動装置の背後にある実在オブジェクトを用いたＡＲ画像を表示する処理
３−（４）．移動装置の位置に応じた文字や画像を表示する処理
３−（５）．表示部を見ているユーザの視線方向に応じた画像を表示する処理
３−（６）．移動装置周囲のショップと連動した広告画像を表示する処理
３−（７）．移動装置の表示部を見ているユーザのアクションに応じたサービスを提供する処理
３−（８）．その他の画像表示例について
４．情報処理装置、および情報処理システムの構成例について
５．情報処理装置のハードウェア構成例について
６．移動装置の詳細形状の一例について
７．本開示の構成のまとめ
【００１８】
［１．移動装置の概要について］
まず、図１以下を参照して、本開示の移動装置の概要について説明する。
図１には、本開示の移動装置１０の一実施例を示している。
図１に示す移動装置１０は、例えばバス、乗用車、ゴルフカート等の車両である。
運転者による一般的な車両、あるいは無人運転を行う自動運転車両のいずれでもよい。
なお、以下においては、移動装置１０を車両として説明するが、本開示の処理、構成は、例えば物流ロボット、船舶、飛行体等、様々な移動装置に適用可能である。
【００１９】
図１に示すように、バス等の移動装置１０の外側の面には、表示部１１が設けられる。例えばＬＣＤ、有機ＥＬパネル等の薄型の表示装置が設けられる。さらに、移動装置１０には移動装置１０の前後左右の各方向の画像を撮影するカメラ１２が設けられている。
【００２０】
図１に示す例は、表示部１１を移動装置１０の側面に設置した例であるが、例えば図２に示すように、移動装置１０の前面、さらに後面に設け、全周囲に表示部を構成する設定としてもよい。
例えば、自動運転車両の場合、カメラの画像やセンサー検出情報に基づいて走行が行われるため、運転手は不要となる。従って、運転者が前方を確認する必要がなく、前方に窓を設けず表示部を設定することが可能となる。
【００２１】
図３は、移動装置１０のネットワーク接続構成例について説明する図である。
移動装置１０は、無線通信を行う通信部を備えており、図３示す通信ネットワーク２０を介してユーザ端末２１、広告等の画像出力装置であるサイネージ装置２２、さらに、データ処理サーバ３１、サービス提供サーバ３２、広告サーバ３３等の様々なクラウド側装置と通信可能な構成となっている。
【００２２】
データ処理サーバ３１は、例えば、移動装置１０や、ユーザ端末２１他の装置から受信するデータに関するデータ処理を実行して、処理結果を各装置に提供するといった処理を行う。
例えば、移動装置１０が自動運転車両である場合、移動装置１０のカメラ撮影画像やセンサー取得情報を受信し、走行ルートの制御情報を移動装置１０に送信する処理等を行う。
さらに、表示部１１に対する表示情報の提供、制御等を実行する。
【００２３】
サービス提供サーバ３２は、例えば、ニュース情報提供サーバ、天気情報提供サーバ、交通情報提供サーバ等、様々な情報やサービスを提供するサーバである。
図に示すように、移動装置１０は、例えば天気情報提供サーバから天気予報に関する情報を取得して表示部１１に表示する処理等を実行する。
【００２４】
広告サーバ３３は、様々な企業の提供する広告を配信するサーバである。
移動装置１０は、広告サーバ３３から、例えば車の広告、衣料品の広告、電化製品の広告、旅行情報の広告等、様々な広告情報を取得して表示部１１に表示する。
【００２５】
なお、図３には、移動装置１０、ユーザ端末２１、サイネージ装置２２、データ処理サーバ３１、サービス提供サーバ３２、広告サーバ３３、これらを各々１台ずつ示しているが、これらの各装置は、いずれも多数の装置がネットワークに接続され、相互に通信可能な構成を持つ。
【００２６】
［２．情報処理装置の構成例について］
次に、図４を参照して、移動装置１０に搭載される情報処理装置１００の具体的な構成例について説明する。
図４は、移動装置１０に搭載される情報処理装置１００の一構成例を示す図である。
【００２７】
図４に示すように、情報処理装置１００は、入力部１１０、出力部１２０、データ処理部１５０を有する。
なお、データ処理部１５０は、移動装置１０に搭載される情報処理装置１００内に構成することも可能であるが、移動装置１０の情報処理装置１００内に構成せず、外部サーバのデータ処理部を利用してもよい。サーバを利用した構成の場合、情報処理装置１００は、入力部１１０から入力した入力データを、ネットワークを介してサーバに送信し、サーバのデータ処理部１５０の処理結果を受信して、出力部１２０を介して出力する。
【００２８】
次に、図４に示す情報処理装置１０の構成要素について説明する。
入力部１１０は、音声入力部（マイク）１１１、画像入力部（カメラ）１１２、センサー１１３を有する。
出力部１２０は、音声出力部（スピーカー）１２１、画像出力部（表示部）１２２を有する。
移動装置１０の情報処理装置１００は、最低限、これらの構成要素を有する。
【００２９】
なお、画像出力部（表示部）１２２は、図１、図２を参照して説明したように、移動装置１０の左右側面、前後の面の他、さらに移動装置１０の車内に設置される表示部等、複数の表示部によって構成される。
【００３０】
データ処理部１５０は、前述したように移動装置１０の情報処理装置１００、または移動装置１０の情報処理装置１００と通信可能なサーバのいずれかに構成される。
データ処理部１５０は、入力データ解析部１６０、記憶部１７０、出力制御部１８０、通信部１９０を有する。
【００３１】
入力データ解析部１６０は、音声解析部１６１、画像解析部１６２、センサー情報解析部１６３を有する。
出力制御部１８０は、音声制御部１８１、画像制御部１８２を有する。
【００３２】
音声入力部（マイク）１１１は、移動装置１０の外部の音声、例えば、歩行者等のユーザの声等を取得し、音声解析部１６１に入力する。
音声解析部１６１は、ユーザ５０の声等の解析を行い、解析結果を記憶部１７０に格納するとともに、出力制御部１８０に出力する。
【００３３】
画像入力部（カメラ）１１２は、移動装置１０の周囲の画像を撮影して、画像解析部１６２に入力する。
画像入力部（カメラ）１１２は、移動装置１０の左右、前後の全周囲の画像を入力する。
画像解析部１６２は、移動装置１０の周囲画像の解析を行う。例えば、歩行者等のユーザの位置や、ユーザの行動等を解析し、解析結果を記憶部１７０に格納するとともに、出力制御部１８０に出力する。
【００３４】
センサー１１３は、例えば移動装置１０の位置を示す位置センサーの他、外部の環境、具体的には、気温、湿度、気圧等の環境センサー、さらに、移動装置１０の速度、加速度、さらにドアの開閉状況等、移動装置１０の制御状態情報を取得するセンサー等によって構成される。
【００３５】
センサー情報解析部１６３は、センサー取得情報に基づく解析情報を生成し、解析結果を記憶部１７０に格納するとともに、出力制御部１８０に出力する。
なお、音声入力部（マイク）１１１、画像入力部（カメラ）１１２もセンサーの一態様であり、音声入力部（マイク）１１１、画像入力部（カメラ）１１２、センサー１１３をまとめてセンサーと呼ぶ場合もある。
【００３６】
記憶部１７０には、音声解析部１６１の解析した歩行者等のユーザの声の情報（発話内容）や、画像解析部１６２の解析した移動装置１０の周囲の画像からの解析結果、例えば、歩行者等のユーザの位置や、ユーザの行動等の情報、さらに、センサー情報解析部１６３の解析結果、例えば移動装置１０の位置、外部環境、移動装置１０の制御情報等が格納される。
【００３７】
記憶部１７０には、さらに、移動装置１０の走行経路を決定するためのルート情報や、出力制御部１８０の制御によって出力される音声データや、画像データが格納されている。例えば広告情報やガイド情報を構成する音声データや、画像データが格納されている。
【００３８】
出力制御部１８０は、音声制御部１８１、画像制御部１８２を有する。
音声制御部１８１は、移動装置１０に設置された音声出力部（スピーカー）１２１を介して出力する音声の制御を行う。
音声出力部（スピーカー）１２１を介して出力する音声は、様々な案内、ガイド情報、ニュース等の情報、広告情報、さらに音楽等の各種情報である。、
【００３９】
画像制御部１８２は、画像出力部（表示部）１２２に出力する画像データの出力制御を実行する。
なお、画像出力部（表示部）１２２は、図１、図２を参照して説明したように、移動装置１０の左右側面、前後の面の他、さらに移動装置１０の車内に設置される複数の表示部によって構成されており、画像制御部１８２は、これら複数の表示部に出力する画像データの出力制御を実行する。
【００４０】
通信部１９０は、様々な外部装置との通信を実行する。
例えば先に図３を参照して説明したように、通信ネットワーク２０を介してユーザ端末２１、広告等の画像出力装置であるサイネージ装置２２、さらに、データ処理サーバ３１、サービス提供サーバ３２、広告サーバ３３等の様々なクラウド側装置と通信を実行する。
【００４１】
出力制御部１８０の音声制御部１８１、画像制御部１８２は、は、入力データ解析部１６０の解析情報や、記憶部１７０に格納された音声データや、画像データ、通信部１９０を介して取得される情報等を用いて、音声出力部（スピーカー）１２１、画像出力部（表示部）１２２に出力する情報の生成や更新処理等の制御を実行する。
【００４２】
［３．情報処理装置の実行する具体的な処理例について］
次に、情報処理装置の実行する具体的な処理例について説明する。
以下の各処理について、順次、説明する。
（１）移動装置、ユーザ端末、サイネージ装置との連携処理例
（２）移動装置の移動状態に応じた表示画像の制御処理
（３）移動装置の背後にある実在オブジェクトを用いたＡＲ画像を表示する処理
（４）移動装置の位置に応じた文字や画像を表示する処理
（５）表示部を見ているユーザの視線方向に応じた画像を表示する処理
（６）移動装置周囲のショップと連動した広告画像を表示する処理
（７）移動装置の表示部を見ているユーザのアクションに応じたサービスを提供する処理
（８）その他の画像表示例について
【００４３】
［３−（１）．移動装置、ユーザ端末、サイネージ装置との連携処理例］
まず、移動装置と、ユーザ端末と、サイネージ装置との連携処理の一例について説明する。
図５は、ユーザ端末２１と移動装置１０、さらにサイネージ装置２２とが連携した広告提供処理の一例を示す図である。
この広告提供処理は、移動装置１０の前にいるユーザ（歩行者等）５０の嗜好に応じた最適な広告を提供するユーザ対応の広告提供処理の一例である。
例えば、図５に示すステップＳ０１〜Ｓ０９の順に処理が実行される。
以下、これらの処理について、順次、説明する。
【００４４】
（ステップＳ０１）
まず、移動装置１０の表示部の前にいる歩行者等のユーザ５０が、スマホ等のユーザ端末２１に、ある衣料品ブランドが提供するサイトを表示して、そのブランドの商品（ウェア）を閲覧している。
【００４５】
（ステップＳ０２）
ステップＳ０２において、このユーザ５０によるサイト閲覧情報が、広告サーバ３３によって取得される。
【００４６】
（ステップＳ０３〜Ｓ０４）
ステップＳ０３は、移動装置１０のカメラによるユーザ５０の画像撮影処理である。
移動装置１０の画像入力部（カメラ）１１２は、移動装置１０の前でスマホ等のユーザ端末２１に表示されたサイトを閲覧しているユーザ５０の画像を撮影する。
さらに、ステップＳ０４において、この撮影画像が、広告サーバ３３に送信される。
【００４７】
（ステップＳ０５）
ステップＳ０５の処理は、広告サーバ３３において実行される。
広告サーバ３３は、ユーザ５０の画像とウェアの画像を合成し、ユーザ５０が、ユーザが見ていたブランドのウェアを着ている状態の合成画像を生成する。
【００４８】
すなわち、広告サーバ３３は以下の処理（ａ）〜（ｃ）を実行する。
（ａ）ステップＳ０２でユーザ端末２１から取得したサイト閲覧情報に基づいて、ユーザ５０が見ていたウェアを特定し、ウェアの画像を広告サーバ３３の記憶部から取得する。
（ｂ）さらに、ステップＳ０４で移動装置１０から取得したユーザ５０の画像を取得する。
（ｃ）最後に、広告サーバ３３は、ユーザ５０の画像とウェアの画像を合成し、ユーザ５０が、ユーザが見ていたブランドのウェアを着ている状態の合成画像を生成する。
【００４９】
（ステップＳ０６〜Ｓ０７）
広告サーバ３３は、ステップＳ０６において、生成した合成画像を移動装置１０に送信する。
移動装置１０の情報処理装置１００の画像制御部１８２は、広告サーバ３３から取得した合成画像を画像出力部（表示部）１２２に出力する。
【００５０】
ユーザ５０は、自分の目の前の移動装置１０の表示部に自分自身が表示された画像を見ることになる。
その表示画像は、まさに、今、ユーザ５０がユーザ端末２１に表示して見ていたサイトの自分の好きなブランドのウェアを着た自分自身の画像となる。
このような表示を行うことで、ユーザ５０は、そのウェアに対する興味をさらに高めることとなり、大きな広告効果を奏することが可能となる。
【００５１】
（ステップＳ０８〜Ｓ０９）
広告サーバ３３は、移動装置１０に対してのみでなく、例えばビル等の壁面に設けたサイネージ装置２２に対しても、ユーザがブランドウェアを着ている状態の合成画像を送信する。
サイネージ装置２２は、広告サーバ３３から取得した合成画像を出力する。
【００５２】
なお、サイネージ装置２２に対する画像表示は、例えば移動装置１０にユーザが乗り込み、その移動装置１０の窓から見える場所のサイネージ装置２２とする制御を行ってもよい。
このような処理を行うことで、ユーザ５０は、自分の移動に伴い、様々な場所のサイネージ装置に表示された自分の姿を見ることができる。
【００５３】
このように、ユーザの興味のあるブランドのウェアなどの商品と、ユーザ自身の画像を合わせた合成画像を生成して、移動装置１０や、その他の街中のサイネージ装置に合成画像を提示することで、ユーザの商品に対する興味を高め、広告効果を高めることが可能となる。
【００５４】
なお、このような合成画像の生成、表示処理は、例えばユーザ５０がユーザ端末２１に、特定のアプリケーションをダウンロードし、その際に、自分の画像が広告として利用される可能性かあることの承諾を得たことを条件として実行する構成とすることが好ましい。
また、広告利用時には、ユーザ５０に割引券や優待券等のクーポンを提供する等の報酬等のサービス提供を行う構成としてもよい。
【００５５】
図５を参照して説明した処理例では、合成画像の生成を広告サーバ３３が実行する構成例として説明したが、移動装置１０内の情報処理装置が合成画像を生成する構成としてもよい。
移動装置１０内の情報処理装置内の記憶部に格納されたウェア画像情報を利用して合成画像を生成する。
あるいはウェア画像情報のみを広告サーバ３３から取得する構成としてもよい。
【００５６】
［３−（２）．移動装置の移動状態に応じた表示画像の制御処理］
次に、移動装置の移動状態に応じた表示画像の制御処理の一例について説明する。
図６を参照して、移動装置１０の移動状態に応じて、画像出力部（表示部）１２２の表示画像を制御する処理例について説明する。
この表示画像制御は、出力制御部１８０の画像制御部１８２によって実行される。
【００５７】
図６に示すように、移動装置１０が左から右に移動する。
移動装置１０は、発進前、加速中、定速走行中、減速中、停止後、これらの５つの異なる状態を遷移するものとする。
出力制御部１８０の画像制御部１８２は、これらの移動装置１０の走行状態に応じて、画像出力部（表示部）１２２の表示画像を制御する。
【００５８】
図６に示すように、移動装置１０の画像出力部（表示部）１２２には、紐の一端が所定か所に固定された風船が浮かんだ画像が表示されている。
この画像が、移動装置１０の走行状態に応じて、以下のように順次、更新される。
（１）時間ｔ０〜ｔ１の発進前において、風船は、ほぼ垂直な状態（上昇中）で表示される。
（２）時間ｔ１〜ｔ２の加速中において、風船は、移動装置１０の後方に流れるような画像として表示される。
（３）時間ｔ２〜ｔ３の定速走行において、風船は、また、ほぼ垂直な状態（上昇中）で表示される。
（４）時間ｔ３〜ｔ４の減速中において、風船は、移動装置１０の前方に流れるような画像として表示される。
（５）時間ｔ４以降の停止後において、風船は、また、ほぼ垂直な状態（上昇中）で表示される。
【００５９】
なお、移動装置１０の各状態、すなわち、発進前、加速中、定速走行中、減速中、停止後、これらの状態は、センサー１１３によって取得される移動装置制御情報に基づいて、センサー情報解析部１６３によって解析される。
画像制御部１８２は、センサー情報解析部１６３によって解析された情報に基づいて、図６に示すような画像の表示制御を実行する。
【００６０】
なお、図６に示す例では、画像として風船を利用した例について説明したが、例えばその他の画像や文字についても、風船の動きと同様の動きを発生させる表示制御を行ってもよい。
また、図６に示す風船を用いた例では、風船の位置をほぼ画面の中央に固定した例を示しているが、風船の位置を逐次変更し、例えば画面を流れるように移動させてもよい。
また、加速/減速する際に、複数の物体がぶつかるような動きを発生させてもよい。
【００６１】
図６に示すように、移動装置１０の移動状態に応じた表示制御を行うことで、風船の動きが移動装置１０の動きに対応した動きとして表現されることになり、歩行者等の多くの視聴ユーザの注目を集めることが可能となる。
【００６２】
［３−（３）．移動装置の背後にある実在オブジェクトを用いたＡＲ画像を表示する処理］
次に、移動装置の背後にある実在オブジェクトを用いたＡＲ画像を表示する処理の一例について説明する。
図７を参照して、移動装置１０の背後にある実在オブジェクトを用いたＡＲ画像（拡張現実画像：Ａｕｇｍｅｎｔｅｄ  Ｒｅａｌｉｔｙ画像）を画像出力部（表示部）１２２に表示する処理例について説明する。
この表示画像制御は、出力制御部１８０の画像制御部１８２によって実行される。
【００６３】
図７には、以下の２つのＡＲ画像の表示例を示している。
（ａ１）移動装置１０の後ろ側にベンチがある例
（ｂ１）移動装置１０の後ろ側にすべり台がある例
歩行者等鵜のユーザ５０は、移動装置１０の側面の表示部を見ており、移動装置１０の通過する背後にベンチや、すべり台がある。
【００６４】
まず、（ａ１）移動装置１０の後ろ側にベンチがある例における表示制御例について説明する。
移動装置１０のカメラが移動装置１０の通過する背後の画像を撮影する。この画像には、実在オブジェクトであるベンチが撮影されている。
【００６５】
画像制御部１８２は、このベンチを含む実画像に、アニメーション画像を合成したＡＲ画像を生成して画像出力部（表示部）１２２に出力する。
図７（ａ１）に示す区間Ａ〜Ｂを移動装置１０が通過する際の画像を図７（ａ２）に示している。
【００６６】
区間Ａ〜Ｂを移動装置１０が通過する際、図７（ａ２）に示すように、アニメーション画像であるボールの画像が、実画像であるベンチに上り、その後、ベンチから降りるように、画像が遷移する。
画像制御部１８２は、このようなＡＲ画像を生成して画像出力部（表示部）１２２に出力する。
【００６７】
次に、（ｂ１）移動装置１０の後ろ側にすべり台がある例における表示制御例について説明する。
移動装置１０のカメラが移動装置１０の通過する背後の画像を撮影する。この画像には、実在オブジェクトであるすべり台が撮影されている。
【００６８】
画像制御部１８２は、このすべり台を含む実画像に、アニメーション画像を合成したＡＲ画像を生成して画像出力部（表示部）１２２に出力する。
図７（ｂ１）に示す区間Ａ〜Ｂを移動装置１０が通過する際の画像を図７（ｂ２）に示している。
【００６９】
区間Ａ〜Ｂを移動装置１０が通過する際、図７（ｂ２）に示すように、アニメーション画像であるボールの画像が、実画像であるすべり台に上り、その後、すべり台をすべるように、画像が遷移する。
画像制御部１８２は、このようなＡＲ画像を生成して画像出力部（表示部）１２２に出力する。
【００７０】
なお、図７では、アニメーション画像としてボールを用いた例について説明したが、その他、文字、キャラクタ画像、乗り物等、様々なアニメーション画像の利用が可能である。
また、アニメーション画像の動きについても、例えばボールをバウンドさせたり、速度を変化させたり、様々な表示が可能である。
【００７１】
図７に示すようなＡＲ画像を生成して表示を行うことで、移動装置１０の表示部には実在オブジェクトとアニメーション画像の合成画像が表示されることになり、歩行者等の多くの視聴ユーザの注目を集めることが可能となる。
【００７２】
［３−（４）．移動装置の位置に応じた文字や画像を表示する処理］
次に、移動装置の位置に応じた文字や画像を表示する処理の一例について説明する。
図８を参照して、移動装置１０の位置に応じた文字や画像を画像出力部（表示部）１２２に表示する処理例について説明する。
この表示画像制御は、出力制御部１８０の画像制御部１８２によって実行される。
【００７３】
図８に示すように、歩行者等のユーザ５０の前を移動装置１０が左から右に移動する。
このとき、移動装置１０の側面の表示部に、図に示すように、移動装置１０の移動に併せて、文字を右から左に流れるように表示する。
【００７４】
図に示す例では、
「ＳＡＬＥ」
「Ｄｉｓｃｏｕｎｔ」
この２つのワードを、移動装置１０の移動に応じて、第１文字から、順次、表示する設定としている。
【００７５】
時間（ｔ１）では、「Ｄｉｓｃｏｕｎｔ」の「Ｄｉ」のみが表示部の右端に表示される。
時間（ｔ２）では、「Ｄｉｓｃｏｕｎｔ」の「Ｄｉｓｃ」と、「ＳＡＬＥ」の「Ｓ」のみが表示部に表示される。
時間（ｔ３）では、「Ｄｉｓｃｏｕｎｔ」の「Ｄｉｓｃｏ」と、「ＳＡＬＥ」の「ＳＡ」のみが表示部に表示される。
時間（ｔ４）では、「Ｄｉｓｃｏｕｎｔ」の「Ｄｉｓｃｏｕ」と、「ＳＡＬＥ」の「ＳＡＬ」のみが表示部に表示される。
時間（ｔ５）では、「Ｄｉｓｃｏｕｎｔ」と、「ＳＡＬＥ」の全てが表示部に表示される。
【００７６】
なお、図８では、文字を表示した例について説明したが、文字以外の画像、アニメーション等、様々な表示データについても、同様に移動装置１０の前方から後方に流れるように表示する構成としてもよい。
【００７７】
なお、出力制御部１８０の画像制御部１８２は、このような表示画像の制御を予め記憶部１７０に格納された画像を用いて実行してもよいし、あるいはセンサー１１３からの入力情報に基づいて解析された移動装置１０の位置に基づいて実行する構成としてもよい。
【００７８】
図８に示すように、移動装置１０の位置に応じた画像を表示することで、歩行者等の多くの視聴ユーザの注目を集めることが可能となる。
【００７９】
［３−（５）．表示部を見ているユーザの視線方向に応じた画像を表示する処理］
次に、表示部を見ているユーザの視線方向に応じた画像を表示する処理の一例について説明する。
図９を参照して、移動装置１０の表示部を見ているユーザの視線方向に応じた画像を表示する処理例について説明する。
この表示画像制御は、出力制御部１８０の画像制御部１８２によって実行される。
【００８０】
図９に示すように、歩行者等のユーザ５０の前を移動装置１０が左から右に移動する。
このとき、移動装置１０の側面の表示部に、図に示すように、表示部を見ているユーザ５０の視線方向に応じた画像を表示する。
【００８１】
図に示す例では、
バスの画像を、移動装置１０の表示部を見ているユーザの視線方向に応じた画像として表示した例を示している。
時間（ｔ１）では、移動装置１０の表示部は、ユーザ５０の左側にあり、左側方向を見ているユーザに向かって走行しているバスの前面の画像を表示する。
時間（ｔ２）では、移動装置１０の表示部は、ユーザ５０のほぼ正面にあり、正面方向を見ているユーザに平行な方向に走行しているバスの側面の画像を表示する。
時間（ｔ３）では、移動装置１０の表示部は、ユーザ５０の右側にあり、右側方向を見ているユーザから離れるように走行しているバスの後面の画像を表示する。
【００８２】
このように、表示部を見ているユーザの視線方向に応じた画像を表示する。
なお、出力制御部１８０の画像制御部１８２は、このような表示画像の制御を予め記憶部１７０に格納された画像を用いて実行してもよいし、あるいはセンサー１１３からの入力情報に基づいて解析された移動装置１０の位置や、ユーザの位置情報に基づいて制御を実行する構成としてもよい。
【００８３】
なお、図９に示す表示態様に、さらに遠近法に基づくパースをかけた強調表示を行う構成としてもよい。時間（ｔ１）において正面向きのパースのかかったバスを表示し、時間（ｔ２）において、横向きの正対画像を表示し、時間（ｔ３）においてパースをかけた後ろ向きの画像を表示する。
また、この時、音声情報を付加してもよい。例えば波面合成スピーカーのような音場を調整した音声出力を行う。画像入力部（カメラ）１１２の撮影画像やセンサー１１３の取得情報に基づいて、歩行者等のユーザ５０が移動装置１０に視線を向けているとの判定に応じて、表示画像に併せた音声を出力する。
【００８４】
図９に示す例ではバスを表示しているが、これをスポーツカーに置き換えた場合、歩行者等のユーザ５０から、移動装置１０が遠い位置にある場合、スポーツカーのエンジン音を遠い位置の音場で出力させる。その後、移動装置１０がユーザ５０に最も近付いた際、エンジンをふかすような爆音を出す。
このように、移動装置１０とユーザとの距離に応じた音量の音を出力する構成としてもよい。
【００８５】
図９を参照して説明したように、移動装置１０の表示部を見ているユーザの視線方向に応じた画像を表示することで、歩行者等の多くの視聴ユーザの注目を集めることが可能となる。
【００８６】
［３−（６）．移動装置周囲のショップと連動した広告画像を表示する処理］
次に、移動装置周囲のショップと連動した広告画像を表示する処理の一例について説明する。
図１０を参照して、移動装置１０の周囲のショップと連動した広告画像を表示する処理の一例について説明する。
この表示画像制御は、出力制御部１８０の画像制御部１８２によって実行される。
【００８７】
図１０に示すように、歩行者等のユーザ５０の前を移動装置１０が左から右に移動する。
このとき、移動装置１０は、様々なショップ（店舗）の前を通過する。
時間（ｔ１）において、シューズショップの前を通過し、
時間（ｔ２）において、ゴルフ用品店の前を通過する。
【００８８】
移動装置１０が、時間（ｔ１）において、シューズショップの前を通過する際、移動装置１０の表示部にシューズショップの提供する商品の広告を表示する。
また、移動装置１０が、時間（ｔ２）において、ゴルフ用品店の前を通過する際、移動装置１０の表示部にゴルフ用品店の提供する商品の広告を表示する。
【００８９】
なお、出力制御部１８０の画像制御部１８２は、このような表示画像の制御を予め記憶部１７０に格納された画像を用いて実行してもよいし、外部の広告サーバから取得した情報を出力する構成としてもよい。
なお、移動装置１０がどのショップの近くにいるかの情報については、センサー１１３からの入力情報に基づいて解析された移動装置１０の位置情報を適用する。
【００９０】
図１０を参照して説明したように、移動装置１０が通過するショップの広告をその場で表示部に表示することで、表示部を見ている歩行者等の多くの視聴ユーザに、ショップへの立ち寄りを思い立たせる等、広告効果を高めることが可能となる。
【００９１】
［３−（７）．移動装置の表示部を見ているユーザのアクションに応じたサービスを提供する処理］
次に、移動装置周囲の表示部を見ているユーザのアクションに応じたサービスを提供する処理の一例について説明する。
図１１を参照して、移動装置１０の表示部を見ているユーザのアクションに応じたサービスを提供する処理の一例について説明する。
【００９２】
図１１に示すように、歩行者等のユーザ５０の前を移動装置１０が移動する。
このとき、移動装置１０のカメラは、ユーザ５０の画像を撮影している。
【００９３】
移動装置１０の表示部には、広告画像が表示され、登場人物が、
「手を振ってください。クーポンを差し上げます」
と呼びかける。音声出力部（スピーカー）１２１を介して音声が出力される。
この呼びかけに応じて手を振ったユーザ５０の画像が移動装置１０のカメラによって撮影されて広告サーバ３３に送信される。
【００９４】
広告サーバ５０は、ユーザのユーザ端末２１に割引券や優待券等のクーポンを送信する。
なお、広告サーバ３３からのクーポン送信先の特定処理としては、予め広告サーバ３３の記憶部に登録されたユーザの顔画像とアドレスの対応データを用いた処理等が可能である。
あるいは移動装置１０の表示部にサイトアドレスや、サイトにアクセスするためのＱＲコード（登録商標）を表示して、ユーザがこれらの情報を用いてサイトにアクセスしてクーポンを入手するといった処理等が可能である。
【００９５】
［３−（８）．その他の画像表示例について］
情報処理装置１００の出力制御部１８０における画像制御部１８２が実行するその他の表示画像の制御例について説明する。
【００９６】
図１２は、移動装置１０の前後左右の各面の表示部に奥行感のある画像の表示を行うものであり、例えば各表示面のほぼ中央部を最も遠い点とした消失点として設定した奥行感のある画像を表示する。
【００９７】
このよう奥行感のある画像の表示を行う場合、画像制御部１８２は、各表示面の画像を見ているユーザの位置をカメラ撮影画像から取得して、ユーザの視点方向が、最も遠い点（消失点）となるように画像を変更するといった制御を行う。
【００９８】
図１３は、移動装置１０の近くに歩行者等のユーザ５０がいることを検出した場合、そのユーザ側の表示部に、あたかもバスのドアが開いた状態の画像を表示する。
このような画像を表示することで、ユーザ５０は、移動装置１０に注目することになる。
例えば、この後に画像を切り替えて広告表示を行うことで。広告に対する注目度を高めることが可能となる。
【００９９】
なお、複数の実施例について説明したが、これらの実施例は個別に実行することも可能であるが、任意の複数の実施例を組み合わせて実行することも可能である。
【０１００】
［４．情報処理装置、および情報処理システムの構成例について］
本開示の移動装置１０の実行する処理について説明したが、先に図４を参照して説明したように、図４に示す情報処理装置１００の各構成要素の処理機能は、移動装置１０内の情報処理装置内に構成することも可能であるが、その一部をサーバ等において実行する構成とすることも可能である。
【０１０１】
図１４にシステム構成例を示す。
図１４（１）情報処理システム構成例１は、図４に示す情報処理装置のほぼ全ての機能を移動装置１０内の情報処理装置２００内に構成した例である。
移動装置１０内の情報処理装置２００は、表示部に表示するデータ等を取得する場合には外部サーバから情報を取得する。
例えばガイド情報や、天気情報、あるいはニュース情報を提供するサービス提供サーバ２２１や、広告情報を提供する広告サーバ２２２から情報を取得する。
取得情報を適用した出力情報の生成、制御等は、移動装置１０内の情報処理装置２００内で実行する。
【０１０２】
一方、図１４（２）情報処理システム構成例２は、図４に示す情報処理装置の機能の一部を移動装置１０内の情報処理装置２００内に構成し、一部を情報処理装置２００と通信可能なデータ処理サーバ２３０において実行する構成としたシステム例である。
【０１０３】
例えば、図４に示す装置中の入力部１１０、出力部１２０のみを移動装置１０内の情報処理装置２００内に構成し、その他の機能をすべてサーバ側で実行するといった構成等が可能である。
なお、移動装置１０内の情報処理装置２００側の機能と、サーバ側の機能の機能分割態様は、様々な異なる設定が可能であり、また、１つの機能を双方で実行する構成も可能である。
【０１０４】
［５．情報処理装置のハードウェア構成例について］
次に、図１５を参照して、情報処理装置のハードウェア構成例について説明する。
図１５を参照して説明するハードウェアは、先に図４を参照して説明した情報処理装置のハードウェア構成例であり、また、図３に示すユーザ端末、各種サーバ３１〜３３のハードウェア構成の一例である。
【０１０５】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行するデータ処理部として機能する。例えば、上述した実施例において説明した処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０１０６】
ＣＰＵ３０１はバス３０４を介して入出力インタフェース３０５に接続され、入出力インタフェース３０５には、各種スイッチ、キーボード、タッチパネル、マウス、マイクロフォン、さらに、センサー、カメラ、ＧＰＳ等の状況データ取得部などよりなる入力部３０６、ディスプレイ、スピーカーなどよりなる出力部３０７が接続されている。
【０１０７】
なお、移動装置１０に備えられた情報処理装置の場合、入力部３０６は、図４を参照して説明した音声入力部（マイク）１１１、画像入力部（カメラ）１１２、センサー１１３が含まれる。
また、出力部３０７には、移動装置１０に備えられた情報処理装置の場合、図４に示す音声出力部（スピーカー）１２０、画像出力部（表示部）１２２が含まれる。
【０１０８】
ＣＰＵ３０１は、入力部３０６から入力される指令や状況データ等を入力し、各種の処理を実行し、処理結果を例えば出力部３０７に出力する。
入出力インタフェース３０５に接続されている記憶部３０８は、例えばハードディスク等からなり、ＣＰＵ３０１が実行するプログラムや各種のデータを記憶する。通信部３０９は、インターネットやローカルエリアネットワークなどのネットワークを介したデータ通信の送受信部として機能し、外部の装置と通信する。
【０１０９】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０１１０】
［６．移動装置の詳細形状の一例について］
次に、図１６以下を参照して、移動装置の形状の一例について説明する。
図１６〜図１８には、移動装置の一例としての乗用自動車またはシャトルバスの構成を示す図である。
図１６〜図１８に示す移動装置は、旅客等の人を輸送するための車両であり、人による操作を介さず自律的に自動で走行し得る乗用自動車あるいはシャトルバスである。
【０１１１】
図１６は乗用自動車またはシャトルバスの部分意匠全体形状を示す図である。
開閉扉の外側には液晶パネルあるいは有機ＥＬ等によるディスプレイ部が設けられており、目的地や企業広告用動画等の表示に用いる。歩行者が所持する情報端末に格納された情報を読み取る等の手段によってディスプレイ脇を歩行する歩行者の嗜好等に応じた広告を表示することが可能である。当該開閉扉は、中央から左右に開くと乗降用の入り口が現れる。
図面中、薄墨で示した部分は透過性を有する。すなわち、搭乗した乗客が外部の景観を眺めるための窓として機能する。
【０１１２】
図１７は、乗用自動車またはシャトルバスとしての部分意匠を示すものである。一点鎖線は部分意匠としての領域を指定するものであって、外観形状を構成しない。
開状態を示す図面を含めて部分意匠を構成している。説明は図１６を参照して説明した全体意匠のものと重複するため割愛する。
【０１１３】
図１８は、乗用自動車またはシャトルバスとしての部分意匠を示すものである。一点鎖線は部分意匠としての領域を指定するものであって、外観形状を構成しない。
開状態を示す図面を含めて部分意匠を構成している。説明は図１６を参照して説明した全体意匠のものと重複するため割愛する。
【０１１４】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１１５】
なお、本明細書において開示した技術は、以下のような構成をとることができる。
（１）  移動装置の外側に設けられた表示部と、
前記表示部の表示画像の制御を実行する画像制御部を有し、
前記画像制御部は、
前記移動装置の走行状態に応じて、前記表示部の表示画像を変更する制御を実行する情報処理装置。
【０１１６】
（２）  前記情報処理装置は、
センサーからの入力情報に基づいて移動装置の走行状態を解析するデータ解析部を有し、
前記表示制御部は、
前記データ解析部の解析結果に基づいて、前記表示部の表示画像を変更する制御を実行する（１）に記載の情報処理装置。
【０１１７】
（３）  前記情報処理装置は、
センサーからの入力情報に基づいて前記移動装置が加速中、または減速中、または定速走行中のいずれであるかを解析するデータ解析部を有し、
前記表示制御部は、
前記移動装置が加速中、または減速中、または定速走行中の各々の状態に応じて前記表示部の表示画像を変更する制御を実行する（１）または（２）に記載の情報処理装置。
【０１１８】
（４）  前記画像制御部は、
前記移動装置の近傍にある実在オブジェクトを用いたＡＲ（Ａｕｇｍｅｎｔｅｄ  Ｒｅａｌｉｔｙ）画像を生成して前記表示部に表示する（１）〜（３）いずれかに記載の情報処理装置。
【０１１９】
（５）  前記画像制御部は、
前記移動装置の表示部側面と反対側にある実在オブジェクトを用いたＡＲ画像を生成して前記表示部に表示する（４）に記載の情報処理装置。
【０１２０】
（６）  前記ＡＲ画像は、前記実在オブジェクトの形状に沿ってアニメーション画像が移動する画像である（４）または（５）に記載の情報処理装置。
【０１２１】
（７）  前記画像制御部は、
前記移動装置の側面に設けられた表示部の表示画像を、前記移動装置の進行方向から後方に流れるように更新する制御を実行する（１）〜（６）いずれかに記載の情報処理装置。
【０１２２】
（８）  前記画像制御部は、
前記移動装置の側面に設けられた表示部の表示画像を、前記表示部を見ているユーザの視線方向に応じて変更する（１）〜（７）いずれかに記載の情報処理装置。
【０１２３】
（９）  前記画像制御部は、
前記移動装置の近傍の店舗の広告情報を前記表示部に表示する（１）〜（８）いずれかに記載の情報処理装置。
【０１２４】
（１０）  前記情報処理装置は、
センサーからの入力情報に基づいて前記移動装置の位置を検出し、検出位置に応じて、前記移動装置の近傍店舗の広告情報を前記表示部に表示する（９）に記載の情報処理装置。
【０１２５】
（１１）  移動装置の外側に設けられた表示部と、
前記表示部の表示画像の制御を実行する画像制御部と、
前記移動装置周囲の画像を撮影する画像入力部であるカメラを有し、
前記画像制御部は、
カメラ撮影画像に基づく前記移動装置周囲のユーザ解析結果に応じて、前記表示部の表示画像を変更する制御を実行する情報処理装置。
【０１２６】
（１２）  前記情報処理装置は、
前記カメラ撮影画像に基づく前記移動装置周囲のユーザ解析結果として、ユーザが規定のアクションを実行したことが確認された場合、ユーザに対するサービス提供処理を実行する（１１）に記載の情報処理装置。
【０１２７】
（１３）  前記サービス提供処理は、前記ユーザの保持するユーザ端末に対するクーポン送信処理である（１２）に記載の情報処理装置。
【０１２８】
（１４）  移動装置の外側に設けられた表示部と、
前記表示部の表示画像の制御を実行する画像制御部と、
前記移動装置の走行状態を検出するセンサーを有し、
前記画像制御部は、
前記センサーの検出情報から解析される前記移動装置の走行状態に応じて、前記表示部の表示画像を変更する制御を実行する移動装置。
【０１２９】
（１５）  前記移動装置は、
前記移動装置周囲の画像を撮影する画像入力部であるカメラを有し、
前記画像制御部は、
カメラ撮影画像に基づく前記移動装置周囲のユーザ解析結果に応じて、前記表示部の表示画像を変更する制御を実行する（１４）に記載の移動装置。
【０１３０】
（１６）  前記移動装置は、
前記カメラ撮影画像に基づく前記移動装置周囲のユーザ解析結果として、ユーザが規定のアクションを実行したことが確認された場合、ユーザに対するサービス提供処理を実行する（１５）に記載の移動装置。
【０１３１】
（１７）  情報処理装置において実行する情報処理方法であり、
前記情報処理装置は、移動装置の外側に設けられた表示部の表示画像の制御を実行する画像制御部を有し、
前記画像制御部が、
前記移動装置の走行状態に応じて、前記表示部の表示画像を変更する制御を実行する情報処理方法。
【０１３２】
（１８）  移動装置において実行する情報処理方法であり、
前記移動装置は、
移動装置の外側に設けられた表示部と、
前記表示部の表示画像の制御を実行する画像制御部と、
前記移動装置の走行状態を検出するセンサーを有し、
前記画像制御部が、
前記センサーの検出情報から解析される前記移動装置の走行状態に応じて、前記表示部の表示画像を変更する制御を実行する情報処理方法。
【０１３３】
（１９）  情報処理装置において情報処理を実行させるプログラムであり、
前記情報処理装置は、移動装置の外側に設けられた表示部の表示画像の制御を実行する画像制御部を有し、
前記プログラムは、前記画像制御部に、
前記移動装置の走行状態に応じて、前記表示部の表示画像を変更する制御を実行させるプログラム。
【０１３４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１３５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１３６】
以上、説明したように、本開示の一実施例の構成によれば、バス等の移動装置の外側に設けられた表示部の表示画像の制御を行い、ユーザの注目度を高め、広告効果を増大させる構成が実現される。
具体的には、例えば、バス等の移動装置の外側に設けられた表示部と、表示部の表示画像の制御を実行する画像制御部を有し、画像制御部は、移動装置の走行状態に応じて表示部の表示画像を変更する制御を実行する。例えば、移動装置が加速中、または減速中、または定速走行中の各状態に応じて表示画像を変更する。あるいは移動装置の近傍にある実在オブジェクトを用いたＡＲ画像を生成して表示する。
本構成により、バス等の移動装置の外側に設けられた表示部の表示画像の制御を行い、ユーザの注目度を高め、広告効果を増大させる構成が実現される。
【符号の説明】
【０１３７】
１０  移動装置
１１  表示部
１２  カメラ
２１  ユーザ端末
２２  サイネージ装置
３１  データ処理サーバ
３２  サービス提供サーバ
３３  広告サーバ
５０  ユーザ
１００  情報処理装置
１１０  入力部
１１１  音声入力部
１１２  画像入力部
１１３  センサー
１２０  出力部
１２１  音声出力部
１２２  画像出力部
１５０  データ処理部
１６０  入力データ解析部
１６１  音声解析部
１６２  画像解析部
１６３  センサー情報解析部
１７０  記憶部
１８０  出力情報生成部
１８１  音声制御部
１８２  画像制御部
１９０  通信部
２００  情報処理装置
２２１  サービス提供サーバ
２２２  広告サーバ
２３０  データ処理サーバ
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
2019163599.tif 000003
【図２】
2019163599.tif 000004
【図３】
2019163599.tif 000005
【図４】
2019163599.tif 000006
【図５】
2019163599.tif 000007
【図６】
2019163599.tif 000008
【図７】
2019163599.tif 000009
【図８】
2019163599.tif 000010
【図９】
2019163599.tif 000011
【図１０】
2019163599.tif 000012
【図１１】
2019163599.tif 000013
【図１２】
2019163599.tif 000014
【図１３】
2019163599.tif 000015
【図１４】
2019163599.tif 000016
【図１５】
2019163599.tif 000017
【図１６】
2019163599.tif 000018
【図１７】
2019163599.tif 000019
【図１８】
2019163599.tif 000020
【国際調査報告】
2019163599.tif 000021
2019163599.tif 000022
2019163599.tif 000023
2019163599.tif 000024